(57)【要約】【課題】簡簡便な工程で取り付けることができ、十分な大きさの開口を形成し得るような家具用の化粧板１を提供する。【課題を解決するための手段】家具を構成する要素となるものであって、家具に所定の機能を付与する目的で設けられた可動の部材を通す開口１１１ａを形成した面板部１１１と、面板部１１１に連なる側板部１１２、１１３とを有する略板状の器材１１を用いてなり、前記器材１１の内向面における前記面板部１１１と前記側板部１１２、１１３との境界領域に一本若しくは複数本の溝１１４、１１５を形成し、該溝１１４、１１５に沿って器材１１を屈曲または湾曲させている家具用部材を構成した。【選択図】図６
2004166872.tif 000002
【特許請求の範囲】
【請求項１】
家具を構成する要素となるものであって、
家具に所定の機能を付与する目的で設けられた可動の部材を通す開口を形成した面板部と、面板部に連なる側板部とを有する略板状の器材を用いてなり、
前記器材の内向面における前記面板部と前記側板部との境界領域に一本若しくは複数本の溝を形成し、該溝に沿って器材を屈曲または湾曲させている家具用部材。
【請求項２】
前記溝が略Ｖ溝である請求項１記載の家具用部材。
【請求項３】
前記開口が前記面板部の長手方向に沿って延伸する長孔状をなす請求項１又は２記載の家具用部材。
【請求項４】
前記器材の外向面に柔軟性を有するシートを貼付している請求項１、２又は３記載の家具用部材。
【請求項５】
前記面板部は、前記可動の部材を収容する空間を挟む一対の平行板の縁部を被覆するためのものである請求項１、２、３又は４記載の家具用部材。
【請求項６】
前記面板部と前記側板部とが略垂直となる請求項１、２、３、４又は５記載の家具用部材。
【請求項７】
請求項１、２、３、４、５又は６記載の家具用部材を取り付けてなる側板を座、背もたれの側方に配置しており、前記可動の部材の少なくとも一部が前記開口を経由して前記側板内に収容可能である椅子。
【発明の詳細な説明】
【０００１】
【発明の属する技術分野】
本発明は、椅子等の家具の構成要素となる家具用部材に関する。
【０００２】
【従来の技術】
例えば、劇場や会議場等に配置される椅子において、使用者の任意に出し入れ可能なメモ台を設けたものが既知である。このものは、メモ台の非使用時にこれを椅子の座、背もたれの側方に取り付けた側板若しくは肘の内に収容する（特許文献１、２を参照）。
【０００３】
【特許文献１】特開平９−２９９１８７号公報
【特許文献２】実開平１１−４６９２３号公報
【０００４】
【発明が解決しようとする課題】
上記の椅子では、座、背もたれの側方で間隔を隔てて平行に起立する一対の起立板を支柱とし、起立板間にメモ台及びメモ台を支持するための機構を設けるとともに、起立板の上にアームレストを載置している。即ち、側板の前面を経由してメモ台が出没するものとなっている。だが、このままでは広大な出入口が側板前面のおおよそ全域に表れることとなり、中に異物が入り込んで故障が生じるおそれや家具としての美観を若干損なうというような点は否めない。
【０００５】
従って、側板前面におけるメモ台の出入口を適当に被覆する化粧板を取り付けることが望ましい。化粧板の取付の構造として、例えば、支柱の両側面を覆う一対の化粧板を側方より取り付け、かつこれら化粧板の間に、間隙を閉じる別の化粧板を取り付ける構造が考えられる。このとき、間隙を閉じる化粧板に適宜の開口を形成して、この開口を経由してメモ台を出し入れするものとする。しかし、化粧板が複数枚存在することとなるため、取り付けの工数が増大する。さらに、大きな開口を形成しようとして、その幅寸法が間隙を閉じる化粧板の幅寸法に匹敵するものとなれば、該化粧板の縁部がひび割れ、破損してしまいかねない。よって、決して好ましい方法であるとは言えない。
【０００６】
以上の問題に鑑み、本発明は、簡便な工程で取り付けることができ、十分な大きさの開口を形成し得るような家具用の化粧板を提供することを目的としている。
【０００７】
【課題を解決するための手段】
上述した課題を解決すべく、本発明では、家具を構成する要素となるものであって、家具に所定の機能を付与する目的で設けられた可動の部材を通す開口を形成した面板部と、面板部に連なる側板部とを有する略板状の器材を用いてなり、前記器材の内向面における前記面板部と前記側板部との境界領域に一本若しくは複数本の溝を形成し、該溝に沿って器材を屈曲または湾曲させている家具用部材を構成した。このようなものであれば、前記面板部と前記側板部とが一体のものとなり、家具への取り付けをより簡便に行うことができる。加えて、前記面板部により大きな開口を形成することが可能となる。また、互いに平行な複数本の溝を形成した場合には、各々の溝の箇所で屈曲または湾曲させて、巨視的に見て前記面板部と前記側板部との境界領域を湾曲させることができる。但し、ここに言う前記側板部の「側」の文言は、家具の使用時における使用方向により規定される方向の概念とは必ずしも一致しない。
【０００８】
前記器材を屈曲させるためには、前記溝を略Ｖ溝とすることが好ましい。
【０００９】
前記可動の部材を通すのに十分な開口を形成するには、開口を前記面板部の長手方向に沿って延伸する長孔状をなすものとすればよい。
【００１０】
前記器材の外向面に柔軟性を有するシートを貼付しているものであれば、シートで器材の外向面を保護でき、しかも内向面に深い溝を掘ることができる。勿論、シートに印刷、塗装等を施すことで所要の質感を具現することもできる。かつ、シートを貼付した上で器材を屈曲または湾曲させて家具に取り付けるようにすれば、シートが張られるために仕上がりが美麗になるという効果をも奏し得る。
【００１１】
該家具用部材を用いるにあたり、前記面板部で、前記可動の部材を収容する空間を挟む一対の平行板の縁部を被覆するようにすることが好適である。
【００１２】
一般的な家具要素を構築するためには、例えば、前記面板部と前記側板部とが略垂直となるように該家具用部材を構成する。
【００１３】
該家具用部材は、椅子の座、背もたれの側方に配置すべき側板に取り付ける化粧板として好適に用いることができる。この場合、前記可動の部材の少なくとも一部が前記開口を経由して側板内に収容可能となる。
【００１４】
【発明の実施の形態】
以下、本発明の一実施形態を、図面を参照して説明する。図１に示すものは、本実施形態に係る家具たる椅子Ｃである。このものは、例えば劇場、会議場等に配列されるもので、座２と、背もたれ３と、座２及び背もたれ３の側方に配置した側板４とを主要な構成要素とする。図示例では、二つの側板４間に座２、背もたれ３が存在しており、これら座２、背もたれ３を側板４に支持させている。
【００１５】
椅子Ｃには、使用者の任意に出し入れ可能なメモ台５を設けてある。メモ台５は、天板５１と、天板５１を支持する支持アーム５２とを具備する。天板５１と支持アーム５２との間にはヒンジ５３が介在し、天板５１を支持アーム５２に対して水平軸周りに回転させることができる。そして、側板４が、前方に開口する収容空間Ｓを内包しており、非使用時にメモ台５を（着座した者から見て右側にある）側板４の収容空間Ｓ内に収容し得る。詳述すると、図２に示すように、メモ台５の支持アーム５２の基端部を、側板４の内に取り付けた回転軸４２により回転可能に支持させてある。加えて、支持アーム５２の回転運動と連動するリンク機構６を側板４の収容空間Ｓ内に設けており、リンク機構６の先端側にある補助アーム６１を支持アーム５２に付帯させている。図３に示す使用状態よりメモ台５を側板４内に収容するとき、図２及び図４に示すように天板５１を上方に回転させて起立させ、しかる後天板５１及び支持アーム５２を垂直に後下方に回転させる。結果、図５に示すように、可動の部材たるメモ台５の天板５１、支持アーム５２並びに補助アーム６１が側板４前面に形成した開口１１１ａを経由して収容空間Ｓ内に収まる。側板４内に収容されているメモ台５を取り出すときには、上記と逆の手順を踏めばよいことは言うまでもない。
【００１６】
しかして、本実施形態では、椅子Ｃの側板４を、側板本体４１に家具用部材たる化粧板１を取り付ける態様で構成するものとしている。図６に示すように、側板本体４１は、所定間隔を隔てて平行に起立する一対の平行板４１１、４１２を主体とし、これら平行板４１１、４１２間の間隙を収容空間Ｓとするものである。平行板４１１、４１２は、例えば板金材を素材とする。椅子Ｃの座２、背もたれ３、並びにメモ台５の支持アーム５２を支持する回転軸４２、支持アーム５２と連動するリンク機構６の一端は、側板本体４１に支持させる。具体的には、回転軸４２及びリンク機構６の一端を平行板４１１、４１２の内向面に取り付け、かつ座２、背もたれ３を支持する機構を平行板４１２の外向面に設ける。なお、座２、背もたれ３の支持の機構は、既存の劇場用椅子Ｃと同様のものとすることができるため、ここでは説明及び図示を省略する。平行板４１１、４１２間における上部領域、下部領域及び後部領域には、適宜の補強材４１３、４１４、４１５を取り付けている。このため、収容空間Ｓは前方に開成している状態となる。該側板本体４１の前方及び側方を被覆すべく、化粧板１を取り付ける。
【００１７】
化粧板１は、図７及び図８に示すように、略板状の器材１１と、器材１１の外向面に貼付した柔軟性を有するシート１２よりなる。器材１１としては、例えばＭＤＦ（中質繊維材）を用いることができ、シート１２としては、例えばＰＥＰシート（登録商標）を用いることができる。器材１１は、開口１１１ａを形成した面板部１１１と、面板部１１１の側縁に連なる側板部１１２、１１３とを有する。図示例において、面板部１１１は、側板４の正面視形状に略対応する形状、即ち上下方向を長手方向とする方形状をなす。側板部１１２、１１３は、椅子Ｃの外側方に表れる外側板部１１２については側板４の側面視形状に略対応する形状、即ち略台形状をなし、内側方（座２、背もたれ３の存在する側）に表れる内側板部１１３については側板４の奥行き寸法（前後方向の寸法）と比較して小さい奥行き寸法を有する方形状をなす。これは、座２、背もたれ３を支持すべく側板本体４１に設けた図示しない支持機構と化粧板１の内側板部１１３との干渉を避けるためである。図示例の化粧板１は、座２及び背もたれ３を、言い換えるならば座席を左右に複数個配列した場合における最も外方の側板４におけるものである。並列する座席間に存在する側板４においては、面板部１１１の両側縁にそれぞれ内側板部１１３を連ねた化粧板１とすればよい。面板部１１１には、上下方向に沿って延伸する長孔状の開口１１１ａを形成している。そして、器材１１の内向面における面板部１１１と外側板部１１２、内側板部１１３との境界領域に上下方向に延伸する溝１１４、１１５を形成し、該溝１１４、１１５に沿って器材１１を屈曲または湾曲させて、側板本体４１に取り付けることとしている。本実施形態では、溝１１４、１１５を略Ｖ溝として、その内角の大きさの分器材１１を屈曲させる。このとき、溝１１４、１１５の内角の大きさを略９０度としており、器材１１を屈曲させた状態で面板部１１１と外側板部１１２、内側板部１１３とが略垂直となる。化粧板１の面板部１１１と外側板部１１２、内側板部１１３とでチャネル形状を形作り、その内部に側板本体４１を納めるようにして化粧板１を側板本体４１に取り付ける。なお、外側板部１１２、内側板部１１３の内向面と平行板４１１、４１２の外向面とがそれぞれ当接するように、予め面板部１１１の幅寸法及び溝１１４、１１５の寸法を設定しておく。さらに、側板本体４１及び化粧板１の上にアームレスト４３を装着することで、側板４の基本構成が完成する。
【００１８】
以上より、メモ台５の天板５１、支持アーム５２及び補助アーム６１の一部分は、化粧板１の面板部１１１に形成した開口１１１ａを通って側板４内に収容あるいは側板４外に進出することとなる。本実施形態では、面板部１１１と外側板部１１２、内側板部１１３とがチャネル形状を形作るため、面板部１１１に形成すべき開口１１１ａの幅寸法を大きくとることができる、つまり、外側板部１１２の内向面と内側板部１１３の外向面との距離の大きさまで開口１１１ａの幅を大きくすることが可能となっている。図示例における面板部１１１の開口１１１ａは上の方が幅広であるが、これは、比較的薄いメモ台５の天板５１が開口１１１ａの下の方を通過する一方で、開口１１１ａの上の方では支持アーム５２及び補助アーム６１を通す必要があるためである。
【００１９】
因みに、図９及び図１０に示すように、面板部１１１と側板部１１２、１１３との境界領域に複数本の溝１１４ｘ、１１５ｘを形成した場合には、各々の溝１１４ｘ、１１５ｘの箇所で屈曲または湾曲させて、巨視的に見て前記面板部１１１と前記側板部１１２、１１３との境界領域を湾曲させることができる。このことは、例えばなだらかなカーブが隅部に表れているような家具要素、上記例で言うところの側板４を構成しようとするときに有効となる。
【００２０】
本実施形態によれば、椅子Ｃを構成する要素となるものであって、椅子Ｃに所定の機能、即ち出し入れ可能なメモ台５を付与する目的で設けられた可動の部材たる天板５１、支持アーム５２及び補助アーム６１を通す開口１１１ａを形成した面板部１１１と、面板部１１１に連なる側板部１１２、１１３とを有する略板状の器材１１を用いてなり、前記器材１１の内向面における前記面板部１１１と前記側板部１１２、１１３との境界領域に一本の溝１１４、１１５若しくは複数本の溝１１４ｘ、１１５ｘを形成し、該溝１１４、１１５に沿って器材１１を屈曲または湾曲させている化粧板１を構成したため、前記面板部１１１と前記側板部１１２、１１３とが一体のものとなり、側板本体４１への取り付けをより簡便に行うことができる。特に、本実施形態では、メモ台５及びリンク機構６が側板本体４１に出没可能に支持されており、化粧板１はこれらの支持に関与しない。従って、化粧板１自体の構造や化粧板１と側板本体４１との取り付けをシンプルなものとすることができる。加えて、前記面板部１１１により大きな開口１１１ａを形成することが可能となる。
【００２１】
前記溝１１４、１１５を略Ｖ溝としたため、器材１１を好適に屈曲させることができる。しかも、Ｖ溝がなす内角の大きさを調整することで前記面板部１１１と前記側板部１１２、１１３とがなす角度を調整できる。
【００２２】
前記開口１１１ａが前記面板部１１１の長手方向に沿って延伸する長孔状をなすため、メモ台５や補助アーム６１を適切に出没させ得る。
【００２３】
前記器材１１の外向面に柔軟性を有するシート１２を貼付しているため、シート１２で器材１１の外向面を保護でき、しかも内向面に深い溝１１４、１１５を掘ることができる。かつ、シート１２を貼付した上で器材１１を屈曲または湾曲させて家具に取り付けるようにしており、シート１２が張られることで仕上がりが美麗になるという効果をも奏し得る。
【００２４】
前記面板部１１１により、天板５１、支持アーム５２及び補助アーム６１を収容する収容空間Ｓを挟む一対の平行板４１１、４１２の縁部を被覆しているため、家具としてより好ましく、また収容空間Ｓの出入口を適宜に遮蔽して格調を高めることができる。
【００２５】
前記面板部１１１と前記側板部１１２、１１３とが略垂直となるため、側板４の如き家具要素を構築するために有効なものとなっている。
【００２６】
そして、該化粧板１を取り付けてなる側板４を座２、背もたれ３の側方に配置しており、天板５１並びに支持アーム５２及び補助アーム６１の少なくとも一部が前記開口１１１ａを経由して前記側板４内に収容可能である椅子Ｃは、化粧板１の存在によりより高い品質を備えるものとなる。
【００２７】
なお、本発明は以上に詳述した実施形態に限られるものではない。本発明に係る家具用部材は、化粧板として用いられるとは限られず、その適用の対象が椅子の側板であるとも限られない。
【００２８】
また、面板部と側板部とがなす角度が垂直であるとは限られない。上記実施形態では、周縁が閉じている開口を面板部に形成しているが、面板部に形成すべき開口は周縁が閉じているものには限られないため、例えば上端若しくは下端が開放しているようなものであっても構わない。
【００２９】
その他各部の具体的構成は上記実施形態に限られるものではなく、本発明の趣旨を逸脱しない範囲で種々変形が可能である。
【００３０】
【発明の効果】
以上に詳述した本発明によれば、簡便な工程で取り付けることができ、十分な大きさの開口を形成し得る家具用の化粧板１を実現できる。
【図面の簡単な説明】
【図１】本発明の一実施形態に係る椅子の全体斜視図。
【図２】同実施形態に係る椅子の側板及びメモ台を示す部分側面図。
【図３】同部分正面図。
【図４】同部分正面図。
【図５】同部分正面図。
【図６】側板本体及び化粧板を示す部分分解斜視図。
【図７】化粧板を示す部分上面図。
【図８】側板本体及び化粧板を示す部分上面図。
【図９】化粧板を示す部分上面図。
【図１０】側板本体及び化粧板を示す部分上面図。
【符号の説明】
Ｃ…椅子（家具）
１…化粧板（家具用部材）
１１…器材
１１１…面板部
１１１ａ…開口
１１２…外側板部（側板部）
１１３…内側板部（側板部）
１１４、１１５、１１４ｘ、１１５ｘ…溝
【図１】
2004166872.tif 000003
【図２】
2004166872.tif 000004
【図３】
2004166872.tif 000005
【図４】
2004166872.tif 000006
【図５】
2004166872.tif 000007
【図６】
2004166872.tif 000008
【図７】
2004166872.tif 000009
【図８】
2004166872.tif 000010
【図９】
2004166872.tif 000011
【図１０】
2004166872.tif 000012